(57)【要約】【課題】仕様の異なる電動機であっても、起動に必要な電圧量をインバータ自身で設定することを目的とする。また、印加電圧量、加速する周波数および起動判別を行う周波数を起動時の電動機の軸負荷に応じてインバータ自身が適値に収束させることで、電動機の確実な起動を実現することを目的とする。【解決手段】永久磁石電動機に電圧を印加して所定の周波数にて駆動する電動機の駆動装置において、永久磁石電動機に流れる電流の位相が前記印加する電圧の位相より遅れ位相となるように電圧を設定する電圧設定手段を備え、電圧設定手段により得られた電圧を印加することにより前記永久磁石電動機を起動するようにした。【選択図】        図１
2004254424.tif 000002
【特許請求の範囲】
【請求項１】
永久磁石電動機に電圧を印加して所定の周波数にて駆動する電動機の駆動装置において、前記永久磁石電動機に流れる電流の位相が前記印加する電圧の位相より遅れ位相となるように前記電圧を設定する電圧設定手段を備え、前記電圧設定手段により得られた電圧を印加することにより前記永久磁石電動機を起動するようにしたことを特徴とする電動機の駆動装置。
【請求項２】
前記電圧設定手段は、前記永久磁石電動機に流れる電流の位相が前記印加する電圧の位相より遅れ位相となるまで電圧を変化させることによって、前記永久磁石電動機を起動させるのに必要な電圧量を設定するようにしたことを特徴とする請求項１に記載の電動機の駆動装置。
【請求項３】
前記電圧設定手段にて設定された設定電圧にて、前記電流の位相が前記電圧の位相より進むまで周波数を上昇させる周波数設定手段を備え、前記周波数設定手段により周波数を上昇させることによって加速して前記永久磁石電動機を起動させるようにしたことを特徴とする請求項１または請求項２に記載の永久磁石電動機の駆動装置。
【請求項４】
前記電圧設定手段により設定された設定電圧にて、前記電動機電流の位相が、前記印加する電圧の位相より進むまで周波数を所定の周波数から徐々に上昇させて加速する周波数設定手段と、前記周波数設定手段による周波数の加速終了後に前記電流の位相が前記電圧の位相より遅れている場合に、再度前記電圧設定手段により電圧設定を行い再起動させる再起動手段と、を備えたことを特徴とする請求項１または請求項２に記載の永久磁石電動機の駆動装置。
【請求項５】
前記電圧設定手段により設定された設定電圧にて、前記電動機電流の位相が、前記印加する電圧の位相より進むまで周波数を所定の周波数から徐々に上昇させて加速する周波数設定手段と、前記周波数設定手段による周波数の加速終了後に前記電流の位相が前記電圧の位相より進み続けている場合に、前記永久磁石電動機の回転子位置に応じた駆動に切替えることを特徴とする請求項１または請求項２に記載の永久磁石電動機の駆動装置。
【請求項６】
永久磁石電動機に電圧を印加して所定の周波数にて駆動する駆動装置において、前記永久磁石電動機に印加される周波数を積分して生成される位相角度の０度の方向をγ軸、このγ軸より回転方向に９０度進んだ方向をδ軸、とするとき、前記永久磁石電動機に流れる電流をＵＶＷ座標系から前記γ軸およびδ軸より構成されるγδ座標系に変換する電流座標変換手段と、前記電流座標変換手段よりの電流ベクトルの出力に基づいて、前記γδ座標軸上の電圧ベクトルの位相を一定の状態で、前記電流ベクトルが前記電圧ベクトルより遅れ位相となる時点まで前記電圧ベクトルの大きさを変化させて、前記永久磁石電動機が起動するのに必要な電圧量を設定する電圧設定手段と、前記電圧設定手段により設定されたγδ座標軸上の設定電圧を前記永久磁石電動機に印加する電圧に変換する電圧座標変換手段と、を備えたことを特徴とする電動機の駆動装置。
【請求項７】
前記γδ座標系のγ軸上あるいはδ軸上のいずれかに前記電圧ベクトルを出力し、前記γ軸あるいは前記δ軸のうち、前記電圧ベクトルの出力されていない方の座標軸における電流の極性により前記電流ベクトルの位相が前記電圧ベクトルの位相より遅れていることを検出するようにしたことを特徴とする請求項６に記載の電動機の駆動装置。
【請求項８】
前記γδ座標系のγ軸上あるいはδ軸上のいずれかに前記電圧ベクトルを出力し、前記γ軸あるいは前記δ軸のうち、前記電圧ベクトルの出力されていない方の座標軸における電流の極性が変化するまで、前記電圧ベクトルの大きさを増加させて前記永久磁石電動機の起動に必要な電圧量を設定する電圧設定手段を備えたことを特徴とする請求項６または請求項７に記載の電動機の駆動装置。
【請求項９】
前記電圧ベクトルの出力されていない方の座標軸における電流の極性が変化するときの電圧である極性変化電圧を第１の所定電圧、前記永久磁石電動機に減磁電流が流れるときの電圧である減磁電圧を第２の所定電圧とするとき、第１の所定電圧以上で、かつ前記第２の所定電圧よりも小さな電圧範囲内となるまで、前記電圧ベクトルの大きさを増加させて前記永久磁石電動機の起動に必要な電圧量を設定する電圧設定手段を備えたことを特徴とする請求項８に記載の電動機の駆動装置。
【請求項１０】
前記電流座標変換手段の出力であるγ軸電流とδ軸電流の比率が、予め設定された所定値の範囲内となるまで、前記電圧ベクトルの大きさを増加させて前記永久磁石電動機の起動に必要な電圧量を設定する電圧設定手段を備えたことを特徴とする請求項６に記載の電動機の駆動装置。
【請求項１１】
前記γδ座標系において、前記電流ベクトルの前記電圧ベクトルに対する位相遅れが２度以上２０度以下の範囲内となるまで前記電圧ベクトルの大きさを増加させて前記永久磁石電動機の起動に必要な電圧量を設定する電圧設定手段を備えたことを特徴とする請求項６に記載の電動機の駆動装置。
【請求項１２】
前記電圧設定手段にて設定された電圧にて、前記座標変換手段に入力される電圧ベクトルの位相よりも、前記電流座標変換手段から出力される電流ベクトルの位相が進むまで周波数を上昇させて加速する周波数設定手段を備えたことを特徴とする請求項６ないし請求項１１のうちの少なくとも１項に記載の電動機の駆動装置。
【請求項１３】
前記電圧設定手段にて設定された電圧にて、前記電圧ベクトルの出力されていない方の座標軸上の電流成分の１周期分の平均値の極性により前記電流ベクトルの位相が前記電圧ベクトルの位相よりも進んでいるかを判断することによって、前記電圧ベクトルの位相よりも、前記電流ベクトルの位相が進むまで前記永久磁石電動機に印加する周波数を上昇させて加速する周波数設定手段を備えたことを特徴とする請求項７ないし請求項１１のうちの少なくとも１項に記載の電動機の駆動装置。
【請求項１４】
永久磁石電動機に電圧を印加して所定の周波数にて駆動する駆動装置において、前記永久磁石電動機に印加される周波数を積分して生成される位相角度の０度の方向をγ軸、このγ軸より回転方向に９０度進んだ方向をδ軸、とするとき、前記永久磁石電動機に流れる電流をＵＶＷ座標系から前記γ軸およびδ軸より構成されるγδ座表系に変換する電流座標変換手段と、前記電流座標変換手段の出力に応じて、前記γδ座標軸上で一定の所定電圧の状態で、前記座標変換手段に入力される電圧ベクトルの位相よりも、前記電流座標変換手段から出力された電流ベクトルの位相が進むまで前記永久磁石電動機に印加する周波数を上昇させて加速する周波数設定手段と、を備えたことを特徴とする電動機の駆動装置。
【請求項１５】
前記周波数の上昇終了後に、前記永久磁石電動機の電流を検出し、検出した電流ベクトルの位相が電圧ベクトルの位相よりも進んでいる場合は起動成功と判断し、検出した電流ベクトルの位相が電圧ベクトルの位相よりも遅れている場合は起動失敗と判断する起動判定部を備えたことを特徴とする請求項１２ないし請求項１４のうちの少なくとも１項に記載の電動機の駆動装置。
【請求項１６】
前記検出された電流、もしくは前記永久磁石電動機へ印加する電圧の何れか少なくとも一方より演算されたγδ座標系上の電圧と、前記検出された電流もしくは前記演算された電圧のうちの少なくとも一方により演算された位相角度と、により定常運転を制御する定常制御部に切替える切替え部を備え、前記起動判定部が起動成功と判断した場合には、前記定常制御部よりの指示による定常運転に切替えるようにしたことを特徴とする請求項１５に記載の電動機の駆動装置。
【請求項１７】
前記起動判定部が起動成功と判断した場合に、前記検出された電流もしくは前記永久磁石電動機へ印加する電圧のうちの少なくとも一方より演算されたγδ座標系上の電圧と、前記永久磁石電動機の回転子の位置を検出して得られた位相角度と、に基づいて定常運転制御に切替える切替え部を備えたことを特徴とする請求項１５に記載の電動機の駆動装置。
【請求項１８】
前記起動判定部が起動失敗と判断した場合、再起動するように指示することを特徴とする請求項１５に記載の電動機の駆動装置。
【請求項１９】
前記起動判定部が起動失敗と判断した場合に、再起動する際、起動失敗となった電圧値よりも大きな所定の電圧にて再起動させるようにしたことを特徴とする請求項１８に記載の電動機の駆動装置。
【請求項２０】
前記永久磁石電動機の電動機定数を同定するようにしたことを特徴とする請求項１ないし請求項１９の少なくとも１項に記載の電動機の駆動装置。
【請求項２１】
前記永久磁石電動機は、希土類磁石を用いたものであることを特徴とする請求項１ないし請求項２０の少なくとも１項に記載の電動機の駆動装置。
【請求項２２】
冷凍サイクルを構成する圧縮機に搭載される電動機を駆動するようにしたことを特徴とする請求項１ないし請求項２１のうち少なくとも１項に記載の電動機の駆動装置。
【発明の詳細な説明】
【０００１】
【発明の属する技術分野】
本発明は、永久磁石同期電動機を駆動する駆動装置、あるいは起動方法に関するものである。
【０００２】
【従来の技術】
従来の永久磁石電動機の起動方法もしくは起動装置は、起動時と通常運転時とを個別の制御にて行ない、ある条件に基づいて運転を切替えるという技術であり、永久磁石電動機に印加するモータ駆動電圧と永久磁石電動機に流れるモータ電流との位相差に基づいて、起動運転から通常運転へ切替えるものである。（例えば、特許文献１参照）。
【０００３】
また、初期起動、起動判別、起動安定と３区間に起動を分割しており、一定の上昇率にてインバータの出力電圧を上昇させる初期起動、予め決められた電圧まで電圧を上昇させて、電流、電圧により演算された磁束の周期を計測し、安定した周波数かどうかを判定する起動判別、起動判別により出力周波数および出力電圧を上昇させ、さらに安定状態か否かを演算した磁束の位相情報から判断する起動安定、の３区間にて起動状態から通常運転へ運転状態を切替えるものもある。（例えば、特許文献２参照）。
【０００４】
また、ピーク値が時間経過と共に徐々に上昇するような三角波もしくはのこぎり波を等価的に印加する起動を構成するものもある。（例えば、特許文献３参照）。
【０００５】
また、ステップ上の交番電流を印加することで電動機の回転子を回転させることなく、電動機の回転子位置を推定するものもある。（例えば、特許文献４参照）。
【０００６】
また、電動機の磁軸方向（ｄ軸）と直交する方向（ｑ軸）の電流制御の制御ゲインを０として制御を構成することによって、電動機の回転子の位置を固定励磁して起動するものもある。（例えば、特許文献５参照）。
【０００７】
【特許文献１】
特開２００１−５４２９５号公報
【特許文献２】
特開２００１−２２４１９８号公報
【特許文献３】
特許３２８５７１７号公報
【特許文献４】
特開平１１−１８４７７号公報
【特許文献５】
特開平１０−３２３０９８号公報
【０００８】
【発明が解決しようとする課題】
特許文献１に示されている従来の技術は、同期電動機の位置を検出しない位置センサレス方式を採用し、電動機を正弦波にて駆動する起動方法が示されている。永久磁石を用いた同期電動機（以後、モータと呼ぶ）はロータの位置に応じてステータを通電する必要があり、位置センサレス方式の場合、何らかの方法にて位置を推定するか、ロータ位置に応じたステータの通電位相を算出する必要があった。
【０００９】
また、特許文献２にも正弦波にてモータを位置センサレス方式にて駆動する起動方法が示されている。
【００１０】
また、特許文献３には、矩形波にてモータを位置センサレス方式にて駆動する起動方式が示されている。
【００１１】
これらの技術は、モータが停止している時、ステータの通電位相が不明であるため、モータの回転子を強制的に移動、回転させることで起動させ、起動状態における安定性が確保された場合に通常運転に切替える起動方法であるが、このような強制的に回転子を動作させるための強制的な電圧印加方法は、誘導電動機では良く知られる方法であり、周波数と電圧の比率を一定に保つ方法として、Ｖ（電圧）／ｆ（周波数）駆動と呼ばれるものであり、インバータ制御技術では、ごく当然の技術がある。
【００１２】
永久磁石電動機の場合、誘導電動機とは異なり、前記のＶ／ｆ駆動と呼ばれる強制的な電圧印加にて起動したとしても、定格運転状態まで加速することが難しい。これは永久磁石電動機が同期電動機のため、回転子の位置に応じて固定子を通電する必要があるためであるが、位置センサレスの場合、位置が不明であるが故に強制的な電圧印加にて起動した場合に定格運転状態となる以前に、定格運転状態でも駆動可能な位置センサレス方法に切替える必要があった。
【００１３】
また、特許文献１は、インバータから出力される出力電圧とモータ電流の位相差を一定に保つことで駆動するセンサレス方式における起動方法について示されており、起動時もこの電圧と電流の位相差を検出して、起動したか否かの判定を行っている。
【００１４】
初期デューティー基準値は、起動時の負荷トルクよりも低いトルクを発生させる程度のデューティーを設定し、徐々にデューティーを上昇させながら、周波数も上昇させて加速する。位相差のバラつきが大きい振動、脱調している状態Ｂを通過した後に、位相差のバラつきが小さくなる領域までデューティーおよび周波数を上昇させる起動方法である。
【００１５】
上述のような起動方法の場合、電動機の仕様に応じて基準デューティーやデューティーと周波数の上昇度合い等は、予め設定する値であり、異なる電動機がインバータに接続された場合、予め設定しているこれらの値は変更する必要がある。
【００１６】
また、位相差のバラつき度合いで安定起動状態か否かを判断しているが、バラつき度合いも電動機の仕様に応じて変化するもののため、電動機に応じたバラつき度合いを予め計測しておく必要があり、電動機によってはバラつき度合いに大小の差が発生し安定した運転が困難な場合があった。
【００１７】
さらに、電圧と電流の位相差情報から、安定起動状態を検出するため、電気１周期、例えば、極数＝４のモータの場合は１／２回転、極数＝６のモータの場合は１／３回転、に１回検出することが可能であるが、安定起動を検出する状態は、強制的な通電状態であり、インバータから出力する電圧は、モータを強制的に回転させるために与えられるため、回転する周波数の上限値は電気周期で１０〜１５Ｈｚ程度であり、回転数は低い状態である。
【００１８】
回転周波数が低いにも関わらず、電気１周期に１回のみの検出では、起動の安定状態を検出するには比較的長い時間が必要となる。また、インバータから出力する電圧を徐々に上昇させる場合に、１周期に１回の検出で電圧を決定することとなり、電圧を上昇させている起動状態も長い時間が必要となり、制御性が悪かった。
【００１９】
特許文献１に示されている技術においても、予め設定されている印加電圧量や周波数はインバータに接続されている電動機に応じて設定されている値であり、異なる仕様の電動機の場合、これらの値を再設定する必要があり、異なる仕様の電動機には対応できなかった。
【００２０】
さらに、安定に起動する周波数に到達する前から緩やかに電圧変化を行うため、１周期に１回の検出で判断するためには、強制的な起動状態から通常運転に移行させることになり、長い時間を要していた。
【００２１】
また、特許文献２に示されている技術は、電圧および電流を検出し、これらから磁束情報を演算して、磁束の位相と周波数から強制的な起動状態から安定状態に移行したか否かを判断している。さらに、安定状態に移行した後に、更に、加速し、安定状態を再度確認するシーケンスが示されている。
【００２２】
特許文献２に示されている技術も判断する周波数は、予め設定された値であり、所定の電圧にて起動し、所定の電圧まで上昇させるとされている。従って、電動機仕様に応じて予め設定される所定の値を設定する必要があり、仕様のわからない異なる電動機には対応できなかった。また、更に加速し、再度安定状態を確認する周波数も予め設定された所定の周波数だけであるため、仕様のわからない異なる電動機には対応できなかった。
【００２３】
さらに、検出した電流と電圧を積分演算し、演算によって求められた磁束のゼロクロスとその周波数から起動の判定を行う構成が取られており、特許文献２も特許文献１と同様、電気的な１周期が経過しないと判別できない構成になっている。
【００２４】
さらに、中間制御周波数まで周波数を上昇させて判別するのであるが、モータの軸負荷によっては中間周波数まで加速不能な場合も存在する。これは、強制的な通電である為であり、モータの回転子が固定子に印加しているインバータの周波数に追従できなければ回転しないため、この状態で起動判別を行うと言うものであるが、これも電動機の仕様に応じて変化する要素であるため、仕様のわからない異なる電動機には対応できなかった。
【００２５】
また、特許文献３に示されている技術は、矩形波によるセンサレス駆動方式の起動方法を示すものである。矩形波駆動は、通電を休止する休止区間が存在する。この休止区間中に、永久磁石電動機の端子に発生する逆起電圧を検出して、センサレス駆動を行うのが、矩形波駆動のセンサレス方式である。
【００２６】
この特許文献３には、矩形波駆動のセンサレス方式は、モータの逆起電圧を検出する方式であるが、モータが回転しない場合、逆起電圧は発生しないので、強制的に回転させ、逆起電圧を強制的に発生させる起動状態と、強制的であっても発生した逆起電圧を利用してセンサレス駆動を行うセンサレス駆動状態と、を切替える技術が示されている。
【００２７】
矩形波駆動の場合、休止区間がなければセンサレス駆動に切替えできないため、正弦波で駆動する方法の起動方法に採用することはできなかった。
【００２８】
さらに、特許文献４に示されている技術は、電動機の回転子の停止位置を推定し、推定いた停止位置よりセンサレス駆動する技術である。このような停止位置を推定する技術は、電動機の仕様を表す電動機定数が既知である必要があるが、特許文献４に示されている技術は、電動機定数が未知の場合でも対応可能と記載されている。
【００２９】
しかしながら、特許文献４に示されている技術では、γ軸方向に流す交番電流の設定方法が記載されておらず、交番電流を流すためのステップ状の電流指令は、電動機定数がある範囲内の値である必要があり、電動機の仕様、換言すれば、電動機定数が全く異なる電動機の場合、ステップ状の電流指令を変更する必要があり、これも電動機の仕様に応じた所定の値が必要であるため、仕様のわからない異なる電動機には対応できなかった。
【００３０】
また、特許文献５に示されている技術は、ｑ軸電流制御のゲインを０にすることでｑ軸電圧を０出力とし、電動機の回転子の位置を固定するものである。電動機の回転子の位置を固定する方法は、位置が固定されるまでの時間、回転子が振動してしまうという課題があった。この特許文献５に示されている技術は、この振動を短時間で抑制することを特徴としているが、振動が抑制されるとしても、無くならない訳ではないので、電動機仕様によっては振動が大きく発生する可能性があり、仕様のわからない異なる電動機には対応できなかった。
【００３１】
本発明は上記の課題を解決するために鑑みられたもので、仕様の異なる電動機であっても、起動に必要な電圧量をインバータ自身で設定することを目的とする。また、印加電圧量、加速する周波数および起動判別を行う周波数を起動時の電動機の軸負荷に応じてインバータ自身が適値に収束させることで、電動機の確実な起動を実現することを目的とする。また、印加電圧量、加速する周波数および起動判別を行う周波数を起動時の電動機の軸負荷に応じてインバータ自身が適値に収束させることで、起動状態を判別することを目的としている。
【００３２】
さらに、本発明は座標変換を用いて電流・電圧の瞬時値から電流・電圧の位相関係を把握することによって、短時間に起動状態を判別することを目的としている。
【００３３】
【課題を解決する手段】
本発明の電動機の駆動装置は、永久磁石電動機に電圧を印加して所定の周波数にて駆動する電動機の駆動装置において、永久磁石電動機に流れる電流の位相が印加する電圧の位相より遅れ位相となるように電圧を設定する電圧設定手段を備え、電圧設定手段により得られた電圧を印加することにより永久磁石電動機を起動するようにしたものである。
【００３４】
【発明の実施の形態】
実施の形態１．
図１は、本発明の実施の形態１を示す回路ブロック図である。図１において、永久磁石電動機１を駆動するインバータ出力部２から電動機１へ流れるモータ電流（３相のうちの少なくとも２相の電流）を電流検出器３にて検出する。ここで、電流の検出については、ある１相と直流側で電流を検出しても良いし、あるいは、直流側のみで電流を検出してもよく、電流が検出できればどこから検出してもよい。インバータ出力部２は図示されていないが直流電源に接続されている。直流電源は、例えば交流の商用電源を整流して生成された直流電圧による直流電源などで構成されている。電流検出器３にて検出されたモータ電流（Ｕ相、Ｖ相、Ｗ相のうちの少なくとも２相）は、γδ軸へ変換する電流座標変換器４で、γ軸電流とδ軸電流とに座標変換される。γδ軸変換については、後述する。
【００３５】
電流座標変換器４にて座標変換されたγ軸電流とδ軸電流は、ローパスフィルタ５を通して、電圧生成器６へ入力され、γ軸電圧およびδ軸電圧が生成される。そして、電圧生成器６にて生成されたγ軸電圧Ｖγおよびδ軸電圧Ｖδは電圧座標変換器７にてインバータ出力部２から出力される３相のモータ印加電圧（Ｖｕ、Ｖｖ、Ｖｗ）の指令値Ｖｕｖｗに変換される。
【００３６】
また、インバータ出力部２にて発生させたい周波数を指令する外部より与えられるインバータ周波数指令ｆｉｎｖは、ゲイン１０を介して角周波数ω＊に変換され、積分器１１によって、角周波数ω＊が位相角度θｍに変換される。積分器１１の出力である位相角度θｍが電流座標変換器４と電圧座標変換器７に入力され、電流座標変換器４においては、位相角度θｍに基づいてγδ軸電流に変換され、電圧座標変換器７においては、位相角度θｍに基づいて３相（Ｕ、Ｖ、Ｗ）軸電圧に変換される。なお、本実施の形態では、３相軸電圧に変換するとしているが、変換される指令値Ｖｕｖｗは、インバータ出力部２より電動機１へ出力する指令値であれば良いことは言うまでもない。ここで、本実施の形態では、インバータ出力部２、電流検出器３、電流座標変換器４、ローパスフィルタ５、電圧生成器６、電圧座標変換器７、ゲイン１０、積分器１１によって駆動装置５０（インバータ装置ともいう）が構成されており、この駆動装置５０により、永久磁石電動機１を所定の周波数で駆動する。
【００３７】
次に、γδ軸変換について説明する。ｄｑ軸に関しては電動機１の磁束方向であるｄ軸とｄ軸より９０度進んだ直交軸をｑ軸と定義することが一般的であるが、ｄｑ軸は、電動機１の回転子によって定義される座標軸であるため、電動機１が回転前の状態で、かつ位置センサレスである本発明のような場合においては、ｄｑ軸は不明である。
【００３８】
しかしながら、駆動装置（インバータ装置）５０から電動機１へ印加する回転軸はインバータ装置５０自らが指示する（発生させる）回転軸であるため既知である。そこで、このインバータ装置５０によって生成される回転軸を本発明ではγδ軸と定義する。電動機１が停止している状態では、外部からのインバータ周波数指令ｆｉｎｖは０であるから、積分器１１の出力である位相角度θｍも０となる。電動機１に起動の指示を行う場合には、外部からのインバータ周波数指令ｆｉｎｖをインバータ装置５０に与え、インバータ装置５０によって強制的に電圧を電動機１に印加する。例えば、インバータ周波数指令＝１Ｈｚの場合、図２に示すような位相角度が生成される。図２は時間に対する位相角度の変化を表した図である。図において、横軸は時間ｔを表し、縦軸は位相角度を表している。図より、位相角度θｍは、周波数の積分値であり、１秒間で０〜２πの範囲まで直線的に変化し、２πを超えると０にリセットされる。
【００３９】
ここで、所定周波数としてインバータ周波数指令を１Ｈｚとしたが、何も１Ｈｚでなくとも良く、電動機の極数も考慮した０より大きな機械的な回転数を設定してもよい。この時、周波数の設定で必要なのは極低速となる周波数を設定しておくことであり、極低速となる周波数を所定周波数として設定しておけば電動機の仕様に応じる必要性がなくなる。ここで、極定速とは、強制的にＶ／ｆを印加して駆動可能な強制Ｖ／ｆ駆動の低速の回転数であり、たとえば、定格回転数の１０％以下のような非常に遅い回転数である。ここで、極定速は０より大きく６ｒｐｓ（３６０ｒｐｍ）以下であることが望ましく、小さければ小さいほど良い。好ましくは３ｒｐｓ（１８０ｒｐｍ）以下が望ましい。
【００４０】
そこで、この通電角度の０度の方向をγ軸、γ軸に対して９０度の方向をδ軸と定義すると、γ軸はｄ軸に対応し、δ軸はｑ軸に対応する軸となる。図３は、γδ軸とｄｑ軸との関係を示した図である。図３において、横軸はｄ軸、縦軸はｑ軸であり、ｄｑ軸に対するγ軸およびδ軸の位置関係を表している。また、Δθはｄｑ軸とγδ軸の位相差を表し、矢印の方向に角速度ωで回転することを表している。ｄｑ軸とγδ軸には、Δθの位相差があり、Δθ＝０の場合、ｄｑ軸とγδ軸は一致する関係にある。
【００４１】
このγδ軸上で、ある電圧ベクトルを出力するようにインバータ装置５０が電動機１に電圧を印加すると、電動機１が回転するか否かに関わらず、電動機１に電流が流れる。仮に、電動機１の回転子が回転していない場合、印加する電圧Ｖ０と流れる電流Ｉ０は、同位相となるので、γδ軸上でみると、印加する電圧と流れる電流は、同一方向を向いているベクトルとなる。この様子を図４に示す。図４はγδ軸上の電圧と電流のベクトル図である。図４において、横軸はγ軸、縦軸はδ軸であり、印加する電圧がＶ０、流れる電流がＩ０である。
【００４２】
次に、インバータ周波数指令ｆｉｎｖを一定状態に保ち、かつ印加する電圧ベクトルの位相を一定のまま、印加している電圧量を増加させると、電圧ベクトルの方向は一定のまま、ベクトルの長さのみ増加することとなる。その後、電動機１の回転子がインバータ装置５０から出力されている強制回転磁界に追従して、回転し始める場合、電動機１に流れる電流Ｉ１は、印加電圧Ｖ１より遅れ位相となる。この様子を図５に示す。図５はγδ軸上の電圧と電流のベクトル図である。図５において、横軸はγ軸、縦軸はδ軸であり、印加電圧がＶ１、流れる電流がＩ１である。
【００４３】
電圧と電流が同位相である状態は、電動機１での発生トルクが起動トルク以下であるため、電動機１にインダクタンス成分が発生せず、抵抗成分のみが作用しており、すなわち電動機１が抵抗負荷特性を示していることを意味する。電動機１が回転し始めるのは、発生トルクが起動トルクを上回る場合であるが、この状態は、電動機１のインダクタンス成分が作用し始めるためで、インダクタンス成分があるため電流ベクトルの位相が電圧ベクトルに対して遅れ始める。
【００４４】
電流ベクトルが電圧ベクトルに対して位相遅れが発生した時点が、電動機１が回転し始めた時点であることから、位相遅れとなる電圧量を印加すれば、電動機１を起動させることが可能になる。また、電動機１の起動時に作用する負荷により軸トルクが変化しても位相遅れとなる電圧量を印加すれば良いので、起動時に必要な電圧量をインバータ装置自身で設定できる。すなわち、この軸トルク以上のトルクを発生させる電圧量（位相遅れとなる電圧量）を印加させれば電動機１は起動できる。この動作フローチャートを図６に示す。図６は本発明の実施の形態１を表す駆動装置の制御フローチャート図である。
【００４５】
図において、Ｓ−１は印加電圧を０にする印加電圧ゼロステップ、Ｓ−２は印加する電圧を増加させる印加電圧設定ステップ、Ｓ−３は電圧ベクトルに対して電流ベクトルが位相遅れ状態かどうかを判断する位相遅れ判断ステップ、Ｓ−４はＳ−３の位相遅れ判断ステップにて電流ベクトルに位相遅れがあると判断した場合に印加電圧量を一定にする印加電圧一定化ステップである。ここで、図６に示すフローチャートの制御動作は図１に示した電圧生成器６にて行なわれる。
【００４６】
図６のように、印加電圧を増加させていき電流ベクトルの位相遅れが生じた場合（すなわち電動機１が起動できる電圧になっている。）に印加電圧の増加を停止して電圧一定にすれば、電動機１を起動できる印加電圧量が得られる。したがって、仕様の分からない電動機であっても、インバータ装置自身で電動機１の起動できる電圧量を設定できる。
【００４７】
以上のように、本実施の形態では、永久磁石電動機１に電圧を印加して所定の周波数にて駆動する電動機の駆動装置５０において、永久磁石電動機１に流れる電流の位相が印加する電圧の位相より遅れ位相となるように電圧を設定する電圧設定手段（電圧生成器６）を備え、電圧設定手段６により得られた電圧を印加することにより永久磁石電動機１を起動するようにしたので、電動機定数を必要としない起動シーケンスであるため、異なる電動機仕様によっても同一シーケンスにて実行可能となり、ソフトウェアの標準化による低価格化、及びソフトウェアの信頼性の向上に寄与する。さらに、起動に関わる電圧設定作業が軽減できるため、設計負荷軽減による低価格化が実現できる。また、瞬時電流値を用いて起動電圧を設定可能となるため、起動に要する時間の短縮化することが可能となる。また、如何なる負荷状態においても、起動可能な起動時の必要電圧量を設定することが可能となり、起動可能な範囲の拡大、起動に対する信頼性の向上が望め、起動時の負荷範囲の拡大に寄与する。
【００４８】
また、電圧設定手段（電圧生成器６）は、永久磁石電動機１に流れる電流の位相が印加する電圧の位相より遅れ位相となるまで電圧を変化させることによって、永久磁石電動機１を起動させるのに必要な電圧量を設定するようにしたので、電動機１が停止中から円滑に起動でき、低振動で低騒音な駆動装置が得られる。
【００４９】
また、永久磁石電動機１に電圧を印加して所定の周波数にて駆動する駆動装置５０において、永久磁石電動機１に印加される周波数を積分して生成される位相角度の０度の方向をγ軸、このγ軸より回転方向に９０度進んだ方向をδ軸、とするとき、永久磁石電動機１に流れる電流をＵＶＷ座標系からγ軸およびδ軸より構成されるγδ座表系に変換する電流座標変換手段（電流座標変換器４）と、電流座標変換手段４よりの電流ベクトルの出力に基づいて、γδ座標軸上の電圧ベクトルの位相を一定の状態で、電流ベクトルが電圧ベクトルより遅れ位相となる時点まで電圧ベクトルの大きさを変化させて、永久磁石電動機１が起動するのに必要な電圧量を設定する電圧設定手段（電圧生成器６）と、電圧設定手段６により設定されたγδ座標軸上の設定電圧をＵＶＷ座標軸上の電圧に変換する電圧座標変換手段（電圧座標変換器７）と、を備えたので、座標変換手段４、７を用いているため、電気角度１周期が経過するまでもなく、瞬時電流および瞬時電圧より回転動作を開始する起動時の必要電圧を瞬時に決定できる更なる効果を有する。また、γδ軸に座標変換することによって、電気角度１周期が経過するまでの長時間を費やすこともなく、ベクトル上で回転動作を開始する起動時に必要な電圧を瞬時に決定できる。
【００５０】
次に、電流の遅れ位相の簡単な検出方法について記述する。図７は電流の遅れ位相の検出方法について説明するためのベクトル図である。図において、横軸はγ軸、縦軸はδ軸を表している。Ｖ１は印加電圧ベクトル、Ｉ１は電流ベクトル、Δθ１は電圧ベクトルに対する電流ベクトルの遅れ位相である。印加電圧のベクトル方向を座標軸と同一方向、例えば、図７に示すようにδ軸方向に電圧Ｖ１を出力する。このとき、電流Ｉ１の遅れ位相Δθ１を検出することと電流Ｉ１のγ軸成分の極性が正となることは同義なので、印加電圧Ｖ１をγδ軸の座標軸上に発生させることによって、電流ベクトルＩ１の位相角度を演算する必要がなくなり、座標変換後の電流の極性に着目すれば、位相遅れΔθ１を検出できる。
【００５１】
以上のように、γδ座標系のγ軸上あるいはδ軸上のいずれかに電圧ベクトルを出力し、γ軸あるいはδ軸のうち、電圧ベクトルの出力されていない方の座標軸における電流の極性により電流ベクトルの位相が電圧ベクトルの位相より遅れていることを検出するようにしたので、座標軸上に印加電圧のベクトルを設定することによって、電流の位相遅れを極性検出のみで簡単に検出でき、演算によらないため、処理能力が低いＣＰＵでも実現可能となる更なる効果を有する。
【００５２】
すなわち、座標軸上に印加電圧のベクトルを設定することによって、電流の位相遅れΔθ１を極性検出のみで簡単に検出でき、演算によらないため、処理能力が低いＣＰＵでも実現可能となり、低コストで対応できる。
【００５３】
また、図７はδ軸上に電圧Ｖ１を出力して遅れ位相Δθ１を検出する方法を示したが、別にδ軸上に電圧ベクトルを出力せず、γ軸上に出力しても上記と同様の効果を有することはいうまでもない。この場合は、γ軸上に電圧ベクトルＶ１を設定した場合、電流Ｉ１のδ軸成分が負の極性となる時点の電圧印加量（極性変化電圧）以上にて電圧を印加することで電動機１を起動することが出来る。
【００５４】
さらに、上述では、モータ１に印加する電圧量を０から徐々に上昇させるよう構成しているが、なにも、上昇させなければならないわけでなく、ある設定電圧値より徐々に低下させ、位相遅れが無くなる時点の電圧量よりも大きい電圧を印加して起動するように構成しても問題はない。ただし、電動機１が停止中から円滑に起動するよう構成するのであれば、印加電圧量を徐々に上昇させるよう構成した方が良いことは明確である。
【００５５】
したがって、本実施の形態では、γδ座標系のγ軸上あるいはδ軸上のいずれかに電圧ベクトルを出力し、γ軸あるいはδ軸のうち、電圧ベクトルの出力されていない方の座標軸における電流の極性が変化するまで、電圧ベクトルの大きさを増加させて永久磁石電動機の起動に必要な電圧量を設定する電圧設定手段を備えたので、電圧を徐々に上昇させることによって、電動機１を停止中から円滑に起動するよう構成することが可能となる更なる効果を有する。
【００５６】
またさらに、電流位相が遅れ位相となった直後に、印加電圧の上昇を停止せず、さらに、予め設定された電流値に電流が大きくなるまで印加電圧量の上昇を継続してもよい。この場合の制御フローチャートを図８に示す。図８は本実施の形態を表す駆動装置の制御フローチャート図である。図８において、図６との違いは、Ｓ−１０で示す電流成分が設定値を超えたかどうかの電流設定値判断ステップを有しており、この判断ステップにて判断して印加電圧の上昇を停止させ電圧を一定化させる点にある。
【００５７】
図において、Ｓ−１は印加電圧を０にする印加電圧ゼロステップ、Ｓ−２は印加する電圧を増加させる印加電圧設定ステップ、Ｓ−３は電圧ベクトルに対して電流ベクトルが位相遅れ状態かどうかを判断する位相遅れ判断ステップ、Ｓ−１０はＳ−３の位相遅れ判断ステップにて電流ベクトルに位相遅れがあると判断した場合に電流値（電流成分）が予め設定された所定値（減磁電流以下の所定値）を超えたかどうかを判断する電流設定値判断ステップ、Ｓ−４はＳ―１０の電流設定値判断ステップにて電流値（電流成分）が予め設定された所定値を超えたと判断した場合に、印加電圧量を一定にする印加電圧一定化ステップである。ここで、図８に示すフローチャートの制御動作は図１に示した電圧生成器６にて行なわれる。
【００５８】
図６に示したように電流位相が遅れ開始直後に印加電圧の上昇を停止するように制御した場合、電動機１の起動に必要な最小限の印加電圧量しか印加できない。そのため、負荷トルクの変動が小さい場合には問題ないが、負荷トルクの変動の大きな圧縮機用電動機などの場合には、印加電圧の上昇停止直後は回転し始めたが、その後、負荷トルクの脈動などの外乱によって、電動機１がロックしてしまう可能性がある。
【００５９】
そこで、図８に示したように起動に必要な最小限の印加電圧よりも多少大きい電圧量を印加した方が電動機１の回転状態を維持しやすい。しかしながら、あまりに大きな電流が流れるほど電圧を印加すると、電動機１は減磁する恐れがある。よって、減磁電流以下の予め設定された電流値となるまで印加電圧の上昇を継続すれば、負荷トルクの変動によって電動機１が停止することもなく、また減磁することもない。
【００６０】
したがって、図８に示したように起動に必要な最小限の印加電圧よりも多少大きい電圧量を印加する構成にすることによって、電動機１を減磁させることなく、トルク脈動などの外乱に対しても影響の少ない起動電圧量を設定することが可能となる。
【００６１】
すなわち、本実施の形態では、電圧ベクトルの出力されていない方の座標軸における電流の極性が変化するときの電圧である極性変化電圧を第１の所定電圧、永久磁石電動機に減磁電流が流れるときの電圧である減磁電圧を第２の所定電圧とするとき、第１の所定電圧以上で、かつ第２の所定電圧よりも小さな電圧範囲内となるまで、電圧ベクトルの大きさを増加させて永久磁石電動機１の起動に必要な電圧量を設定する電圧設定手段（たとえば電圧生成器６）を備えたので、電動機１を減磁させることなく、トルク脈動などの外乱に対しても影響の少ない起動電圧量を設定することが可能となる更なる効果を有する。
【００６２】
ここで、電動機１に希土類磁石が用いられている場合、常温状態での希土類磁石の減磁電流レベルは非常に高い。そのため、永久磁石電動機１に希土類磁石を使用するようにすれば、減磁の影響を考慮しなくて良くなり大雑把な簡単な制御で良くなるので、ＣＰＵでの分解能を小さくすることで、安いＣＰＵで対応出来るようになり、低コストで小形の電動機駆動装置を得ることができる。また、電流の検出精度も低いものを使用できるようになり、安価な電流検出器を適用できる。
【００６３】
また、一例として図６に示したようにδ軸上に電圧を印加して制御する場合で説明するが、電流位相が遅れ始めても、さらに、電圧印加量の上昇を停止しない場合、電流の位相が更に遅れる状態になる。これは、γ軸電流成分の上昇度に対し、δ軸電流成分の上昇度は小さく、さらには、δ軸電流成分は、増加せず減少する場合もある。
【００６４】
この特性を利用して、δ軸電流とγ軸電流の比率（Ｉγ／Ｉδ）の関係が予め設定された値となるまで、電圧印加の上昇を継続するよう構成する。このように構成しても、上記と同様に、外乱に対し影響を受けにくくなる起動電圧の設定が可能になる。
【００６５】
すなわち、本実施の形態では、電流座標変換手段の出力であるγ軸電流とδ軸電流の比率（Ｉγ／Ｉδ）が、予め設定された所定値の範囲内となるまで、電圧ベクトルの大きさを増加させて永久磁石電動機の起動に必要な電圧量を設定する電圧設定手段を備えたので、如何なる負荷状態においても、起動可能な起動時の必要電圧量を設定することが可能となる。さらには、外乱による影響をなくすように構成することが可能となる更なる効果を有する。
【００６６】
さらに、例えば、電流ベクトルＩ１の位相が電圧ベクトルの位相に対し２０度以上遅れると、インバータ装置５０にて発生させている回転磁界に電動機１が追従しにくくなる。特に、起動トルクが大きい場合、位相が２０度以上遅れると、回転状態が確保されなくなる。このような場合、起動失敗となるので、電動機１がインバータ装置５０の回転磁界に追従する電流ベクトルが２０度以内の遅れとなるように印加電圧の上昇を停止させれば良い。また、外乱の影響を受けにくくするために、２度以上の位相遅れが発生するよう印加電圧を設定した方がよい。すなわち、電流ベクトルＩ１の位相は電圧ベクトルの位相に対して、位相差が２度以上２０度未満の位相遅れの範囲内になるように設定した方がよい。
【００６７】
すなわち、本実施の形態では、γδ座標系において、電流ベクトルの電圧ベクトルに対する位相遅れが２度以上２０度以下の範囲内となるまで電圧ベクトルの大きさを増加させて永久磁石電動機の起動に必要な電圧量を設定する電圧設定手段６を備えたので、如何なる負荷状態においても、起動可能な起動時の必要電圧量を設定することが可能となる。さらには、外乱による影響をなくすように構成することが可能となる更なる効果を有する。
【００６８】
この場合の制御フローチャートについては、図示しないが、図８におけるｓ−１０ステップにおける印加電圧の上昇継続の条件を上記のように位相遅れ範囲を２度以上２０度未満の位相遅れの範囲内かどうかの判定に変更するだけでよいことは言うまでもない。
【００６９】
またさらに、上述では、正弦波駆動方式を前提に記述したが、何も正弦波駆動だけではなく、矩形波駆動に適用することが出来ることは言うまでもない。さらに、永久磁石電動機だけでなく誘導電動機に適用可能することも可能である。これらに適用した場合でも、同等効果を有することは言うまでもない。
【００７０】
以上のように構成することによって、仕様の異なる電動機であっても起動に必要な電圧量をインバータ装置自身で設定することが可能となり、電動機ごとに駆動装置を選定したり、新たに開発する必要がなくなる。また、制御アルゴリズムの統一化による標準化や電動機を搭載する製品（たとえば圧縮機の場合は、高圧側と低圧側との差圧、冷媒温度、起動トルク範囲条件など）を変更するたびに設計する必要のあった電動機ごとの仕様値（たとえば、トルク範囲、イナーシャ、負荷側の粘性係数、周囲温度条件など）の設計期間の短縮化を図ることが可能となる。
【００７１】
したがって、本実施の形態の駆動装置を用いれば、如何なる負荷状態においても、起動可能な起動時の必要電圧量を設定することが可能となるので、仕様の異なる電動機であっても、問題なく起動できる。さらには、外乱による影響をなくすように構成することも可能であり、外乱の影響を受けない安定した起動のできる電動機駆動装置が得られる。
【００７２】
実施の形態２．
図９は、本発明の実施の形態２を示す回路ブロック図である。図９において、図１〜図８と同等部分は、同一符号を付して説明を省略する。図９において、周波数設定手段である周波数設定器１２は、電圧生成器６からの動作指令（信号）により動作を開始し、ローパスフィルタ５を通った電流座標変換器４の電流値Ｉγ、Ｉδも入力され、この電流値Ｉγ、Ｉδに応じて、外部より入力されるインバータ周波数指令にΔｆを加算した周波数ｆｉｎｖを設定する。したがって、ゲイン１０には加算周波数量Δｆが加わった周波数指令ｆｉｎｖが入力される。
【００７３】
電圧設定手段である電圧生成器６は、実施の形態１で説明した通り、実施の形態２でも同様に、電動機１に流れる電流ベクトルＩ１の位相が印加する電圧ベクトルＶ１の位相より遅れるまで、印加電圧量を上昇させる。また、この電圧生成器６は、本実施の形態では、電圧の上昇が停止したことを周波数設定器１２へ伝達（信号を送信）する動作も行う。この信号の伝達経路を図９では、点線矢印で示している。
【００７４】
図９に示した周波数設定器１２は、電圧生成器６にて電圧の上昇が停止した場合に、インバータ出力部２が強制的に印加している回転磁界の周波数を変化させるよう、インバータ出力部２の周波数を変更するように作用する。電圧生成器６で電圧の上昇が停止するまでは、周波数設定器１２の出力は０であるため、インバータ出力部２より出力される周波数は、外部より指示される周波数指令は、ｆｉｎｖと一致する。（図９においても図１における周波数と同一である。）
【００７５】
ここで、本実施の形態では、インバータ出力部２、電流検出器３、電流座標変換器４、ローパスフィルタ５、電圧生成器６、電圧座標変換器７、ゲイン１０、積分器１１、周波数設定器１２によって駆動装置（インバータ装置）５１が構成されており、この駆動装置５１により、永久磁石電動機１を所定の周波数で駆動する。
【００７６】
本実施の形態では、印加する電圧の上昇が停止した後の動作が、実施の形態１と異なっている。これを図１０のフローチャートを用いて説明する。図１０は本実施の形態を表す駆動装置の制御フローチャート図である。図１０において、ステップＳ−１〜Ｓ−４までは図６と同等であり、説明を省略する。図１０では、ステップＳ−４で印加電圧の上昇が停止され、印加電圧が一定になると、今度は、ステップＳ−１１の周波数設定ステップにてインバータ出力部２より出力している周波数を上昇させる。
【００７７】
ここで、強制的な回転磁界に電動機１の回転子が追従している状態、この状態を強制通電と呼ぶが、この強制通電の状況下において、インバータ装置５１より出力している周波数を増加することは、強制通電状態で電動機１が回転している状態の場合には、加速することを意味する。
【００７８】
強制通電状態は、あくまで、回転子がインバータ装置５１の出力している回転磁界に追従して回転しているだけであるので、ある周波数を超えると追従できなくなり、軸ロック状態になり停止する。そこで、印加する電圧量を設定する場合は、電流位相が電圧位相より遅れる瞬間まで電圧量を上昇させるが、周波数に関しては、電流位相が電圧位相より進むまで周波数を増加させ続ける。（Ｓ−１１、Ｓ−１２、Ｓ−１３）
【００７９】
すなわち、Ｓ−１１の周波数設定ステップにて周波数を増加させ、Ｓ−１２の電流位相進み判断ステップにて電流位相が電圧位相に対して進み状態となるかを判断し、Ｓ−１２にて電流位相進み判断ステップにて電流位相が電圧位相に対して進み状態であると判断された場合には、Ｓ−１３の周波数一定化ステップにて周波数の増加を停止して周波数を一定にする。
【００８０】
電動機１が回転し始めると、回転子の磁石磁束の影響から、電動機１の固定子側に誘導電圧（逆起電圧とも呼ぶ）が発生する。この誘導電圧の発生により、電流位相が電圧位相に対し変化する。この電流位相の変化を図１１に示す。
【００８１】
図１１は本実施の形態を表すインバータ周波数と電流スカラー量、位相の関係を説明するための図である。図において、横軸はインバータ周波数であり、縦軸は電流スカラー量、および電圧ベクトルに対する電流ベクトルの位相を表している。周波数設定器１２によって、インバータ出力部２から出力されるインバータ周波数（図９に記載のω＊）を徐々に上昇させると、電流ベクトルＩ１は周波数の上昇と共に位相が遅れ、電圧ベクトルに対し位相が４５°遅れに漸近する。４５°遅れ付近になると、電流のスカラー量が低下し始め、電流スカラー量が最小値付近に漸近すると、電流位相が急激に進み始め、電圧ベクトルを追い越し、進み位相状態となる。
【００８２】
さらに加速を続けた場合、インバータ周波数にモータの回転が追従できず、また電流のスカラー量が増加し、位相が遅れはじめ、位相角が遅れ方向の電流ベクトルとなって、回転が確保できなくなる。
【００８３】
この現象の概念図が図１１である。ここで、図に示す回転確保領域とは、強制通電による回転が開始される時点から、強制通電による回転磁界に追従できなくなる直前の状態までの範囲を表している。そこで、図１１に示すような電流位相の急激な進み方向への変化を検出し、その状態で加速を終了するようにすれば、回転確保領域中において印加される負荷トルク量に関わらず、加速の限界周波数が検出できるので、加速の限界周波数を自動設定できる。
【００８４】
したがって、本実施の形態では、電圧設定手段６にて設定された電圧にて、電圧座標変換手段７に入力される電圧ベクトルの位相よりも、電流座標変換手段４から出力される電流ベクトルの位相が進むまで周波数を上昇させて加速する周波数設定手段１２を備えたので、インバータ５１（電圧設定手段である電圧生成器６）にて自動設定された電圧にて起動し、加速限界まで加速させるため、如何なる負荷条件であっても電動機を確実に起動させることが可能となる。さらに、如何なる仕様の電動機であっても、同一の起動方式を構成できるので、インバータを構成するプログラムの標準化が実現でき、プログラムの信頼性向上、起動性能の信頼性向上に繋がる。
【００８５】
ここで、電流ベクトルの急激な位相進みを検出するには、実施の形態１で説明したように、出力する電圧ベクトルをγ軸もしくはδ軸軸方向と同一方向とすることにより、電流ベクトルの正負の極性検出という安価な方法で実現できる。電流ベクトルの正負の極性を検出すれば、電流ベクトルの急激な位相進みを検出することができる。
【００８６】
また、電流ベクトルにリップルが重畳すると、電流ベクトルが円方向に前後するため、位相の進みか遅れかの判定が難しい。すなわち、電圧ベクトルの位相は変化しないが、電流ベクトルは、周波数に応じてその絶対値が変化しながら位相も変化するのでそこで、位相の進みか遅れかの判定が難しい。インバータ装置５１にて出力している強制的な回転磁界の１周期の平均が位相進みとなった場合に、周波数の増加を終了するように構成すると、電流にリップルが重畳されていても、１周期の平均値をとれば、１個の値が得られるので、電流リップルが重畳していても円滑に位相の進み遅れの状況を検出可能である。
【００８７】
以上のように、本実施の形態で説明した起動方法を構成することによって、如何なる負荷条件であっても電動機を確実に起動させ、さらに加速させることが可能となる。さらに、如何なる仕様の電動機であっても、同一の起動方式を構成できるので、インバータ装置を構成するプログラムの標準化が実現でき、開発期間の短縮、プログラムの信頼性向上、起動性能の信頼性向上に繋がる。
【００８８】
また、電圧設定手段６にて設定された電圧にて、電圧ベクトルの出力されていない方の座標軸上の電流成分の１周期分の平均値の極性により電流ベクトルの位相が電圧ベクトルの位相よりも進んでいるかを判断することによって、電圧ベクトルの位相よりも、電流ベクトルの位相が進むまで永久磁石電動機に印加する周波数を上昇させて加速する周波数設定手段１２を備えたので、急激な位相進みの検出を出力する電圧ベクトルをγ軸もしくはδ軸軸方向と同一方向とすることにより、電流ベクトルの正負の極性検出という安価な方法で実現できる。さらに、１周期の平均を取ることにより、電流にリップルが重畳されていても円滑に位相の進み遅れの状況を検出が実現できる更なる効果を有する。また、１周期の平均を取ることにより、位相の円滑な検出が実現できる。
【００８９】
また、インバータ周波数を上昇する時点での印加電圧量は、実施の形態１で説明した方法を用いたが、なにも実施の形態１で説明した方法でなくともよく、予め設定された電圧量を印加して、その電圧印加量を一定にして周波数を上昇させて加速しても、加速における作用は同様の効果を有することは言うまでもない。すなわち、いかなる仕様の電動機であっても、同一の加速方式が構成できるので、インバータ装置を構成するプログラムの標準化が実現でき、開発期間の短縮、プログラムの信頼性向上、起動性能の信頼性向上に繋がる。
【００９０】
この場合、電圧印加量は、電圧が予め与えられた量であるため、起動トルクや電動機仕様の変動に対し裕度は小さくなるが、上述の方法よりもシーケンスが短くなるので、短時間起動が実現できる。
【００９１】
また、本実施の形態では、永久磁石電動機１に電圧を印加して所定の周波数にて駆動する駆動装置５１において、永久磁石電動機１に印加される周波数を積分して生成される位相角度の０度の方向をγ軸、このγ軸より回転方向に９０度進んだ方向をδ軸、とするとき、永久磁石電動機に流れる電流をＵＶＷ座標系からγ軸およびδ軸より構成されるγδ座表系に変換する電流座標変換手段４と、電流座標変換手段の出力に応じて、γδ座標軸上で一定の所定電圧の状態で、座標変換手段に入力される電圧ベクトルの位相よりも、電流座標変換手段４から出力された電流ベクトルの位相が進むまで永久磁石電動機１に印加する周波数を上昇させて加速する周波数設定手段１２と、を備えたので、座標変換手段４、７を用いることによって、電気角度１周期が経過するまでもなく、瞬時電流および瞬時電圧より回転動作を継続可能な加速周波数までの加速を瞬時に決定できる更なる効果を有する。
【００９２】
また、上記は正弦波駆動方式を前提に説明したが、何も正弦波駆動だけに限定されるものではなく、矩形波駆動方式に適用することが出来ることは言うまでもない。矩形波駆動方式に適用した場合でも、同等効果を有することは言うまでもない。
【００９３】
実施の形態３．
図１２は、本発明の実施の形態３を示す回路ブロック図である。図において、図１〜図１１と同等部分は、同一の符号を付して、説明を略する。
【００９４】
図１２においては、図９にくらべて起動判定部２１が付加されている点が異なる。起動判定部２１は、実施の形態２で説明した周波数の増加終了後に、強制通電状態で電動機１の回転子が回転しているか否かを判別する機能を有するものである。
【００９５】
電動機１が回転しているか否かの判別は、起動判定部２１にてローパスフィルタ５を通った電流座標変換器４により座標変換された電流Ｉγ、Ｉδ、および周波数設定器１２よりの動作指令（信号）をもとにして次のように行う。実施の形態２で述べたように、電動機１の起動は、徐々に印加する電圧量を上昇させ、電圧印加量の設定が完了後に、周波数を増加させて加速し、加速終了した状態で電動機１を強制通電している状態にて行う。
【００９６】
周波数の加速終了は、電流ベクトルの位相が電圧ベクトルの位相より進み位相になった時点で終了され、起動判定部２１へ加速が終了したことが伝達（信号が送付）される。この信号が図１２中では点線矢印で示されている。この時点での電圧、周波数の値で強制通電を行なった場合、電動機１の回転子が回転しているのであれば、電流の位相は進み状態を維持する。しかしながら、加速終了後の状態で、強制通電を行なっている場合に、電動機１の回転子が回転しないしていない際は、電流の位相が遅れ位相に戻る。
【００９７】
従って、加速終了後の通電安定状態で、電流ベクトルの位相を検出すれば、回転しているか否かが判定できる。図１３は、δ軸方向に電圧を印加した場合の回転角度、インバータ周波数、電流の波形を表した図である。図において、横軸は時間を表し、縦軸は回転角度、インバータ周波数、電流を表している。図において、δ軸上に電圧を印加しているので、電流位相が進みになる状態は、γ軸電流が負の極性となることを意味している。
【００９８】
ここで、本実施の形態では、インバータ出力部２、電流検出器３、電流座標変換器４、ローパスフィルタ５、電圧生成器６、電圧座標変換器７、ゲイン１０、積分器１１、周波数設定器１２、起動判定部２１によって駆動装置（インバータ装置）５２が構成されており、この駆動装置５２により、永久磁石電動機１を所定の周波数で駆動する。
【００９９】
図１３は、加速終了後に、電動機１の回転子が回転していた場合の各波形であり、各波形は、上から、回転子の角度（位置センサとしてのエンコーダの信号）、インバータ周波数（強制的な回転磁界の周波数）、γ軸電流、電動機電流を表している。インバータ周波数の上昇の停止後（加速完了後）も、回転子角度を表す波形が変化し続けているため、電動機１は回転し続けていることが読み取れる。また、インバータ周波数の波形より加速完了した時点から周波数が一定になっており、この時点（周波数が一定値になった状態）で加速が完了したことを、図より読み取ることができる。この場合のγ軸電流は、ゼロ点よりも低い値のまま持続されているので、負の極性であることが分かる。
【０１００】
図１４はδ軸方向に電圧を印加した場合の回転角度、インバータ周波数、電流の波形を表した図である。図において、横軸は時間を表し、縦軸は回転角度、インバータ周波数、電流を表している。図１４で表した各波形は、加速終了後に、電動機１の回転子が回転しなかった場合の波形を示す。インバータ周波数の上昇の停止後（加速完了後）に、回転子角度の波形が変化せずほぼ一定となっているため、電動機１は加速終了後に停止している（回転していない）ことが読み取れる。また、インバータ周波数の波形より周波数が一定になっており、図１３と同様に加速完了であることも読み取ることができる。この場合のγ軸電流は、加速が完了した後に一度ゼロ点よりも低い値（負の極性）となって、その後、正の極性に戻っていることがわかる。
【０１０１】
図１３、図１４とも電動機１には電流（電動機電流）が流れているので、電流のみを検出しての直接の観測では、回転しているか否かの判定は難しいが、強制通電でのインバータ上に座標変換（γδ座標変換）したのちの電流からであれば、回転状態か否かの判定は、電圧ベクトルＶ１と電流ベクトルＩ１の位相差（図においてはγ軸電流の極性）から判定できる。
【０１０２】
以上説明したような電圧設定方法により起動時の印加電圧を設定し、周波数設定方法により加速完了の周波数をインバータ装置自身で自動設定することによって、強制通電にて電動機が追従して回転しているか否かの判定が容易に出き、起動の信頼性が大幅に向上する。
【０１０３】
したがって、本実施の形態では、周波数の上昇終了後に、永久磁石電動機１の電流を検出し、検出した電流ベクトルの位相が電圧ベクトルの位相よりも進んでいる場合は起動成功と判断し、検出した電流ベクトルの位相が電圧ベクトルの位相よりも遅れている場合は起動失敗と判断する起動判定部２１を備えたので、強制通電にて電動機１が追従して回転しているか否かの判定が容易に出来、起動の信頼性向上に繋がる。さらには、瞬時電流により起動の判定が出来るので、起動時間の短縮化が図れる更なる効果を有する。
【０１０４】
また、本実施の形態では、起動時の負荷条件に応じた起動時の印加電圧及び加速完了周波数にインバータ装置５２が自動で設定するので、如何なる負荷にも対応可能となり、起動時の負荷範囲の拡大に寄与する。また、電動機仕様に応じて設定していた起動時の印加電圧や周波数も自動的にインバータ装置自身で設定するので、仕様の異なる電動機であってもインバータ装置の標準化が実現でき、標準化によるコスト低減にも寄与できる。更には、瞬時電流により起動の判定が出来るので、起動時間の短縮化が図れる。
【０１０５】
また、上記に説明したように本実施の形態では、徐々に印加する電圧量を上昇させ、電圧印加量の設定が完了後に、周波数を増加させて加速し、加速終了した状態で電動機１の起動状態を判断する構成を取っているが、なにも印加電圧量の設定をインバータ装置自身に適値に設定する方法を取らなくとも、電流の位相が電圧の位相より遅れる所定の印加電圧量を与える構成としても、上記と同等効果を有することは言うまでもない。
【０１０６】
この場合、電圧印加量は、起動トルクや電動機仕様の変動に対し裕度は小さくなるが、上述の方法よりもシーケンスが短くなるので、短時間起動が実現できる。
【０１０７】
またさらに、上記にて説明した例では、正弦波駆動方式を前提に説明したが、何も正弦波駆動だけではなく、矩形波駆動に適用することが出来ることは言うまでもない。矩形波駆動に適用した場合でも、同等効果を有することは言うまでもない。
【０１０８】
以上のように、本実施の形態では、電圧設定手段６にて設定された設定電圧にて、電流の位相が電圧の位相より進むまで周波数を上昇させる周波数設定手段を備え、周波数設定手段により周波数を上昇させることによって加速して永久磁石電動機１を起動させるようにしたので、如何なる負荷条件であっても電動機を確実に加速させることが可能となる。さらに、如何なる仕様の電動機であっても、同一の起動方式を構成できるので、インバータを構成するプログラムの標準化が実現でき、プログラムの信頼性向上、起動性能の信頼性向上に繋がる。
【０１０９】
また、電圧設定手段６により設定された設定電圧にて、電動機電流の位相が、印加する電圧の位相より進むまで周波数を所定の周波数から徐々に上昇させて加速する周波数設定手段と、周波数設定手段による周波数の加速終了後に電流の位相が電圧の位相より遅れている場合に、再度電圧設定手段６により電圧設定を行い再起動させる再起動手段と、を備えたので、強制通電にて電動機が追従して回転しているか否かの判定が容易に出来、起動の信頼性向上に繋がる。また、強制通電にて回転が確保されなかった場合にも、再起動が可能となり、起動の信頼性が向上する。また、非常に低速の回転数にて起動状態を判別できるので、再起動の回数を増加でき、起動の信頼性を更に向上させることが出来る。
【０１１０】
また、電圧設定手段６により設定された設定電圧にて、電動機電流の位相が、印加する電圧の位相より進むまで周波数を所定の周波数から徐々に上昇させて加速する周波数設定手段と、周波数設定手段による周波数の加速終了後に電流の位相が電圧の位相より進み続けている場合に、永久磁石電動機の回転子位置に応じた駆動に切替えるようしたので、如何なる負荷条件であっても電動機を確実に起動させ、さらに加速させることが可能となり、起動時の負荷範囲の拡大に寄与する。さらに、強制通電にて電動機が追従して回転しているか否かの判定が容易に出来、起動の信頼性向上に繋がる。
【０１１１】
実施の形態４．
図１５は、本発明の実施の形態４を示す回路ブロック図である。図において、図１〜図１４と同等部分は、同一の符号を付して、説明を略する。図１５は、電圧生成器６や周波数設定器１２などの起動に関わる定数設定を行い、電動機１の起動制御する起動制御部２２、電動機１が起動したか否かの判定を行う起動判定部２１を有している。起動判定部２１は、電流座標変換器４よりの座標変換された電流Ｉγ、Ｉδに基づいて電動機１が起動したか否かの判定を行う。また、起動制御部２２は、実施の形態１ないし実施の形態３にて説明したような起動方法を行い、起動制御を行う。たとえば、電流座標変換器４よりの座標変換された電流Ｉγ、Ｉδ、および周波数指令ｆｉｎｖより得られた角周波数ω＊、および起動判定部２１より得られる起動情報（信号）に基づいて電圧生成器６や周波数設定器１２などの起動に関わる定数設定を行い、起動制御する。
【０１１２】
ここで、図１５においては、周波数指令としてω＊を与えている。この周波数指令ω＊は、実施の形態１〜３では、周波数指令をＨｚ（ヘルツ）で与え、Ｈｚにて周波数設定器１２により加速指示を行い、Ｈｚをｒａｄ／ｓ（ラジアン／秒）に単位変換するために２πを乗算している。しかし、本実施の形態では、周波数指令ω＊は、ｒａｄ／ｓにて与えるように構成している点が異なるが、図１〜図１４と同等部分の構成、動作、作用、効果などは、図１〜図１４と何ら変わるものではない。
【０１１３】
また、本実施の形態では、定常制御部２３も有しており、この定常制御部２３は、電流座標変換器４よりの座標変換された電流Ｉγ、Ｉδ、および周波数指令ｆｉｎｖより得られた角周波数ω＊などに基づいて、定常運転時に通常の回転子位置に応じた駆動（センサレス駆動やセンサ付き駆動のどちらの場合であってもよい。）にて電動機１を駆動する。また、起動判定部２１よりの起動したか否かの判定情報に基づく切り替え指示（信号）に基づいて、起動制御から定常運転制御へ運転制御を切替える切替え部２４も備えている。
【０１１４】
ここで、切替え部２４には、起動制御部２２にて演算された電圧情報（Ｖγδ）、座標変換に使用する位相角度（θｍ）、および定常制御部２３にて演算された電圧情報（Ｖγδ）、座標変換に使用する位相角度（θｍ）が入力される。これらの２つ制御部２２、２３の電圧情報と位相情報のうち、一方の制御部の電圧情報と位相情報だけが切替え部２４より出力され、インバータ出力部２から電動機１へ出力される。また、起動状態の場合は、起動制御部２２の電圧情報と位相情報が切替え部２４より出力され、インバータ出力部２から電動機１へ出力される。
【０１１５】
起動判定部２１より起動完了の指示が切替え部２４へ入力されると、切替え部２４は、起動制御部２２の電圧情報と位相情報の出力から定常制御部２３の電圧情報と位相情報の出力へと切替える。この起動判定部２１からの切替え指示の信号の流れを図中では点線矢印で示している。この切替え部２４よりの電圧情報と位相情報の出力の切替えによって、電動機１の運転状態が切替えられ、停止などすることがなく、円滑な起動の切替えが行われる。
【０１１６】
ここで、本実施の形態では、インバータ出力部２、電流検出器３、電流座標変換器４、ローパスフィルタ５、電圧生成器６、電圧座標変換器７、ゲイン１０、積分器１１、周波数設定器１２、起動判定部２１、起動制御部２２、定常制御部２３、切替え部２４によって駆動装置（インバータ装置）５３が構成されており、この駆動装置５３により、永久磁石電動機１を所定の周波数で駆動する。
【０１１７】
本実施の形態では、検出された電流もしくは電動機１へ印加する電圧の何れか少なくとも一方より演算されたγδ座標系上の電圧と、γδ座標系上の電圧により演算された位相角度と、により定常運転を指示する定常制御部２３に切替える切替え部２４を備え、起動判定部２１が起動成功と判断した場合には、定常制御部２３よりの指示による定常運転に切替えるようにしたので、強制通電にて回転が確保されている場合、起動から定常運転への円滑な切替えが実現できる更なる効果を有する。
【０１１８】
また、起動判定部２１が起動成功と判断した場合に、座標変換手段４、７に使用している位相角度を電動機の回転子の位置を検出して得られた位相角度に切替えるようにしたので、回転子位置に応じた駆動方法、もしくは位置センサレス駆動での円滑な起動を実現できる。
【０１１９】
ここで、起動判定部２１にて起動していないと判定された場合、再度、電圧設定から再起動を行うように制御される。再起動の指令は、起動判定部２１から起動制御部２２へ図１５の点線矢印で示している。この動作の制御フローチャートを図１６に示す。図１６は本発明の実施の形態１を表す駆動装置の制御フローチャート図である。図１６において、電圧設定を行うステップＳ−１からステップＳ−４の動作は、実施の形態１にて説明したのと同等の動作のため説明は省略する。また、周波数設定を行なうステップＳ−１１〜ステップＳ−１３の動作は、実施の形態２で説明したのと同等の動作のため説明は省略する。
【０１２０】
図において、Ｓ−２１は電流位相が進み位相の状態を維持しているかどうかを判定する進み位相維持判定ステップ、Ｓ−２２は進み位相維持判定ステップＳ−２１にて進み位相を維持していると判定された場合に定常運転制御に切り替える定常運転切替ステップ、Ｓ−２３は、ステップＳ−２１にて遅れ位相を検出した場合に、再起動の指令を起動判定部２１より出力させるための指示を出す再起動指令ステップである。
【０１２１】
ステップＳ−２１で加速完了後の電流ベクトルの位相を確認し、電流位相が電圧位相より進み状態を維持し続けていれば、強制通電での回転が確保され、電動機は回転磁界の追従して動作しているので、ステップＳ−２２にて定常制御部２２へ切替えて、定常運転でのセンサレス駆動状態へ切替えて起動は完了する。
【０１２２】
しかしながら、Ｓ−２１で加速完了後の電流ベクトルの位相を確認し、電流位相が電圧位相より遅れ状態であった場合、強制通電での回転ができず、電動機はロックして停止しているか、もしくは回転磁界の周波数よりも更に遅い周波数で円滑には動作していない不安定な状態となっている。
【０１２３】
そのため、ステップＳ−２１にて遅れ位相を検出した場合、ステップＳ−２３の再起動指令ステップにて、再起動の指令が起動判定部２１より出力され、再度、ステップＳ−１よりやり直す。
【０１２４】
したがって、強制通電にて回転が確保されている場合は円滑に定常運転制御に切替えが実現でき、また強制通電にて回転が確保されなかった場合にも、再起動が可能となり、起動の信頼性が向上する。また、非常に低速の回転数にて起動状態を判別できるので、再起動の回数を増加でき、起動の信頼性を更に向上させることが出来る。
【０１２５】
また、ステップＳ−２３にて再起動が行われる場合に、次回の再起動時には電圧設定量を、前回値より大きく与えるようにしてもよい。このように構成すると、起動しない状態の続く無限ループに陥りにくく、起動の信頼性を更に向上させることができる。
【０１２６】
以上のように、本実施の形態では、起動判定部２１が起動失敗と判断した場合、再起動するように指示するので、強制通電にて回転が確保されなかった場合にも、再起動が可能となり、起動の信頼性が向上する。また、非常に低速の回転数にて起動状態を判別できるので、再起動の回数を増加でき、起動の信頼性を更に向上させることが出来る。
【０１２７】
また、起動判定部２１が起動失敗と判断した場合に、再起動する際、起動失敗となった電圧値よりも大きな所定の電圧にて再起動させるようにしたので、再起動時の電圧設定量が、前回値より大きく与えられるように構成することによって、無限ループに陥りにくく、起動の信頼性を更に向上させることが可能である更なる効果を有する。
【０１２８】
また、図１５における定常制御部２３は、センサレス駆動の場合についてであったが、電動機１に位置センサを付加してセンサ駆動としても、同様の起動方法を適用できる。位置センサは、最初のパルスが入力されるまでは位置が不明であるため、本発明の電圧設定方法を適用すれば起動の信頼性が向上する同様の効果を有することは言うまでもない。さらに、電動機１に位置センサを付加してセンサ駆動の場合に本発明の起動方法を適用しても、定常制御部２３においては位置センサ駆動によるセンサ駆動とすればよく、仕様の異なる電動機１であっても確実に起動でき、起動信頼性が向上できるなどの同等効果を有することは言うまでもない。
【０１２９】
また、冷凍サイクルを構成する圧縮機に搭載された電動機を駆動する場合、ある程度回転数が上昇した状態では、冷媒が循環し始め、起動時の負荷量が増大し、起動しにくい状態となる。そのため、従来は再起動待ちという圧縮機特有のシーケンスを用意する必要があり、このシーケンスにより３分から５分程度圧縮機を動作させず、負荷量が安定するまで再起動待ちを続けるようにしている。
【０１３０】
しかしながら、本実施の形態のように起動判定を行う制御の場合には、冷凍サイクルを構成する圧縮機に搭載される電動機を駆動する場合でも、再起動と判定する周波数が非常に低くできるため、冷媒が循環せず、起動トルクが高くならない状態で再起動が可能である。そのため、再起動待ちのシーケンスが不要、もしくは３〜５分よりも短い時間の再起動待ち時間となり、再起動のリトライ数を増加させることが出来る。これにより、起動の信頼性を更に向上させることが出来る。
【０１３１】
さらに、電動機１の仕様である電動機定数を同定する技術である電動機同定技術（自動チューニングと称す）に対しても、本実施の形態では、電動機の仕様が未知の場合に回転させなければ同定が困難な逆起電圧定数が、電動機１を起動させて回転状態を確保することで可能となるため、逆起電圧定数の同定が可能となる。したがって、本実施の形態の起動方法は、自動チューニング（自身で電動機定数などを同定する起動方法、駆動装置）に適した起動方法、駆動装置であるといえる。
【０１３２】
ここで、本発明の起動方法と自動チューニング技術とを融合させた場合において、必要な情報は、インバータ装置に接続される電動機１の過電流保護レベルと電動機の極数だけであり、本発明においてはこの２つの情報だけ入手できればインバータ装置に電動機１を接続しただけで、永久磁石電動機１を任意の回転数に正弦波にてセンサレス駆動することが可能となる。
【０１３３】
ここで、極数が未知である場合は、機械的な回転数は任意の値とはならないが、この場合には電気周波数（換言すると、インバータ周波数）を任意の周波数として、永久磁石電動機１を正弦波センサレス駆動することが可能であるため、過電流レベル情報のみ入手して設定できれば、極数が未知である場合でも任意のインバータ周波数にて電動機１を駆動することが可能となる。
【０１３４】
以上のように、本実施の形態では、駆動装置５３にて永久磁石電動機１の電動機定数を同定するようにしたので、電動機１が回転しなければ同定が困難な逆起電圧定数が、電動機の仕様が未知でも、起動し回転状態を確保することが可能となるため、逆起電圧定数の同定が可能となる更なる効果を有する。従って、必要な情報がインバータ装置に接続される電動機１の過電流保護レベルと電動機の極数だけで、永久磁石電動機１を任意の回転数に正弦波にてセンサレス駆動することが可能となる。またさらに、極数が未知である場合は、機械的な回転数は任意の値とはならないが、電気周波数、換言すると、インバータ周波数を任意の周波数として、永久磁石電動機１を正弦波センサレス駆動することが可能となり、過電流レベルの設定のみで任意のインバータ周波数に電動機を駆動することが可能となる。
【０１３５】
希土類磁石を用いた電動機の場合には、常温での減磁電流が非常に大きいため、常温環境に設置される電動機であれば、過電流レベルの設定も不要であり、また、常温での温度環境でないとしても、サーミスタなどの温度センサの付加により過電流レベルの設定も不要となるので、希土類磁石を用いた電動機の場合には、極数および過電流保護レベルの情報が入手できなくても、電動機１を起動でき、また、電動機定数も同定でき、自動チューニングが可能となる。
【０１３６】
また、永久磁石電動機１に希土類磁石を用いたので、希土類磁石を用いることによって、減磁の影響を考慮しなくて良くなり大雑把な制御が可能となるので、ＣＰＵでの分解能を減らすことで、安いＣＰＵが適用出来るようになる。また、電流の検出精度も低いものを使用できるようになり、安価な電流検出器を適用できる。
【０１３７】
また、正弦波駆動方式を前提に記述しているが、何も正弦波駆動だけではなく、矩形波駆動に適用することが出来ることは言うまでもない。矩形波駆動に適用した場合でも、同等効果を有することは言うまでもない。
【０１３８】
【発明の効果】
本発明によれば、電動機定数を必要としない起動シーケンスであるため、異なる電動機仕様によっても同一シーケンスにて実行可能となり、ソフトウェアの標準化による低価格化、及びソフトウェアの信頼性の向上に寄与する。さらに、起動に関わる電圧設定作業が軽減できるため、設計負荷軽減による低価格化が実現できる。また、瞬時電流値を用いて起動電圧を設定可能となるため、起動に要する時間の短縮化することが可能となる。また、如何なる負荷状態においても、起動可能な起動時の必要電圧量を設定することが可能となり、起動可能な範囲の拡大、起動に対する信頼性の向上が望め、起動時の負荷範囲の拡大に寄与する。
【図面の簡単な説明】
【図１】本発明の実施の形態１を示す回路ブロック図である。
【図２】本発明の時間に対する位相角度の変化を表した波形図である。
【図３】本発明の実施の形態１を説明するためのγδ軸とｄｑ軸との関係を示した図である。
【図４】本発明の実施の形態１を説明する電圧と電流のベクトル図である。
【図５】本発明の実施の形態１を説明する電圧と電流のベクトル図である。
【図６】本発明の実施の形態１を表す駆動装置の制御フローチャート図である。
【図７】本発明の実施の形態１における電流の遅れ位相の検出方法について説明するためのベクトル図である。
【図８】本発明の実施の形態１を表す駆動装置の制御フローチャートである。
【図９】本発明の実施の形態２を説明する回路ブロック図である。
【図１０】本発明の実施の形態２を駆動装置の制御フローチャート図である。
【図１１】本発明の実施の形態２を表すインバータ周波数と電流スカラー量、位相の関係を説明するための図である。
【図１２】本発明の実施の形態３を説明する回路ブロック図である。
【図１３】本発明の実施の形態における３δ軸方向に電圧を印加した場合の電流、インバータ周波数、回転角度の波形を表した図である。
【図１４】本発明の実施の形態３におけるδ軸方向に電圧を印加した場合の電流、インバータ周波数、回転角度の波形を表した図である。
【図１５】本発明の実施の形態４を説明する回路ブロック図である。
【図１６】本発明の実施の形態４を表す駆動装置の制御フローチャート図である。
【符号の説明】
１  電動機、２  インバータ出力部、３  電流検出器、４  電流座標変換器、５  ローパスフィルタ、６  電圧生成器、７  電圧座標変換器、１０  ゲイン、１１  積分器、１２  周波数設定器、２１  起動判定部、２２  起動制御部、２３  定常制御部、２４  切替え部、５０、５１、５２、５３  駆動装置（インバータ装置）。
【図１】
2004254424.tif 000003
【図２】
2004254424.tif 000004
【図３】
2004254424.tif 000005
【図４】
2004254424.tif 000006
【図５】
2004254424.tif 000007
【図６】
2004254424.tif 000008
【図７】
2004254424.tif 000009
【図８】
2004254424.tif 000010
【図９】
2004254424.tif 000011
【図１０】
2004254424.tif 000012
【図１１】
2004254424.tif 000013
【図１２】
2004254424.tif 000014
【図１３】
2004254424.tif 000015
【図１４】
2004254424.tif 000016
【図１５】
2004254424.tif 000017
【図１６】
2004254424.tif 000018